(57)【要約】【課題】  本発明は、並設された複数の感光ドラムの温度ムラを低減させることができる画像形成装置を提供する。【解決手段】  並設された複数の感光ドラム９０１と、複数の感光ドラム９０１を加熱するドラムヒータ１０と、を有する画像形成装置９００において、ドラムヒータ１０は、複数の感光ドラム９０１をそれぞれ加熱する複数の加熱領域２０に引き回される１本の熱線を有し、並設された加熱領域２０のうちで、端部に位置する加熱領域２０ｙ，２０ｋに配置される熱線の長さが、他の加熱領域２０ｍ，２０ｃに配置される熱線の長さよりも長いことを特徴とする。【選択図】      図３
2019086606.tif 000002
【特許請求の範囲】
【請求項１】
並設された複数の感光ドラムと、
前記複数の感光ドラムを加熱する加熱手段と、
を有する画像形成装置において、
前記加熱手段は、前記複数の感光ドラムをそれぞれ加熱する複数の加熱領域に引き回される１本の熱線を有し、
並設された前記加熱領域のうちで、端部に位置する前記加熱領域に配置される前記熱線の長さが、他の加熱領域に配置される前記熱線の長さよりも長いことを特徴とする画像形成装置。
【請求項２】
前記加熱領域に配置される前記熱線は、前記複数の感光ドラムのそれぞれの長手方向に沿った長さが等しく、且つ、折り返し数が異なることを特徴とする請求項１に記載の画像形成装置。
【請求項３】
前記熱線は、略均一な抵抗値を有することを特徴とする請求項１または請求項２に記載の画像形成装置。
【発明の詳細な説明】
【技術分野】
【０００１】
本発明は、複写機、プリンタ等の画像形成装置に関するものである。
【背景技術】
【０００２】
画像形成装置では、低温環境化で電源がＯＦＦ状態のまましばらく放置した後に電源をＯＮにすると、感光ドラムの表面に結露し、感光ドラムの表面上に静電潜像が正しく形成されなくなり、画像不良が発生する。一方、帯電、露光、現像、転写、クリーニングといった画像形成プロセスを長期間反復すると、感光ドラムの表面は、湿度に敏感になり、感光ドラムの表面に水分を吸着し易くなる。これらの問題を回避するために、特許文献１では、感光ドラムの表面近傍にドラムヒータを設けて加温する。これにより感光ドラムの表面上の結露を防止して、感光ドラムの表面に水分が吸着することを防止している。
【先行技術文献】
【特許文献】
【０００３】
【特許文献１】特開２００３−３０７８９８号公報
【発明の概要】
【発明が解決しようとする課題】
【０００４】
しかしながら、複数のステーションにドラムヒータを有する画像形成装置において、ドラムヒータを点灯させると、端部のステーションでは熱が逃げる。これに対して、複数のステーションの間に位置するステーションでは熱がこもる。複数のステーションの間に位置するステーションと端部のステーションとで感光ドラムを加熱するヒータの抵抗値を同一にすると、複数のステーションの間に位置するステーションを不要に加熱しすぎることになり、消費電力が増大してしまう。
【０００５】
本発明は前記課題を解決するものであり、その目的とするところは、並設された複数の感光ドラムの温度ムラを低減させることができる画像形成装置を提供するものである。
【課題を解決するための手段】
【０００６】
前記目的を達成するための本発明に係る画像形成装置の代表的な構成は、並設された複数の感光ドラムと、前記複数の感光ドラムを加熱する加熱手段と、を有する画像形成装置において、前記加熱手段は、前記複数の感光ドラムをそれぞれ加熱する複数の加熱領域に引き回される１本の熱線を有し、並設された前記加熱領域のうちで、端部に位置する前記加熱領域に配置される前記熱線の長さが、他の加熱領域に配置される前記熱線の長さよりも長いことを特徴とする。
【発明の効果】
【０００７】
本発明によれば、並設された複数の感光ドラムの温度ムラを低減させることができる。
【図面の簡単な説明】
【０００８】
【図１】本発明に係る画像形成装置の構成を示す断面説明図である。
【図２】感光ドラムとドラムヒータの構成を示す斜視説明図である。
【図３】第１実施形態のドラムヒータの電気回路図である。
【図４】比較例のドラムヒータの電気回路図である。
【図５】第１実施形態と比較例での各ステーションの温度分布を示す図である。
【図６】第２実施形態のドラムヒータの電気回路図である。
【図７】第２実施形態と比較例での各ステーションの温度分布を示す図である。
【発明を実施するための形態】
【０００９】
図により本発明に係る画像形成装置の一実施形態を具体的に説明する。
【００１０】
〔第１実施形態〕
図１〜図５を用いて本発明に係る画像形成装置の第１実施形態の構成について説明する。
【００１１】
＜画像形成装置＞
先ず、図１を用いて本発明に係る画像形成装置の構成について説明する。図１は、本発明に係る画像形成装置の構成を示す断面説明図である。図１に示す画像形成装置９００は、カラープリンタの一例である。図１に示すように、画像形成装置９００の内部には、イエローｙ、マゼンタｍ、シアンｃ、ブラックｋの各色に対応する複数のステーションが設けられている。
【００１２】
各ステーションには、画像形成手段を構成する像担持体となる感光ドラム９０１ｙ，９０１ｍ，９０１ｃ，９０１ｋが直線上に並設されている。
【００１３】
各感光ドラム９０１は、図１の反時計回り方向に回転可能に設けられている。図１の反時計回り方向に回転する各感光ドラム９０１の表面は、帯電手段となる各帯電ローラ９０２により均一に帯電される。均一に帯電した各感光ドラム９０１の表面に対して露光手段となる各レーザユニット９０３から各色の画像情報に応じたレーザ光９０３ａがそれぞれ照射される。均一に帯電した各感光ドラム９０１の表面には、各色の画像情報に応じたレーザ光９０３ａが露光されて各色の画像情報に応じた静電潜像が形成される。
【００１４】
その後、現像手段となる各色の現像装置１に設けられた現像剤担持体となる現像スリーブ９０４により各感光ドラム９０１の表面に形成された静電潜像に各色の現像剤（トナー）が供給されて各色のトナー像が形成される。
【００１５】
各感光ドラム９０１に対向して中間転写ベルト９０６が回転可能に張架されている。中間転写ベルト９０６は、張架ローラ２，３と、二次転写内ローラ９０７とにより図１の時計回り方向に回転可能に張架されている。中間転写ベルト９０６の内周面側には、各感光ドラム９０１に対向して中間転写ベルト９０６を介在して一次転写手段となる各色の一次転写ローラ９０５が設けられている。
【００１６】
図示しない一次転写バイアス電源から各一次転写ローラ９０５に一次転写バイアスが印加されることにより各感光ドラム９０１の表面に形成された各色のトナー像が順次、中間転写ベルト９０６の外周面上に一次転写されて重畳される。このようにして中間転写ベルト９０６の外周面上には、イエローｙ、マゼンタｍ、シアンｃ、ブラックｋの各色のトナー像を重畳して形成されたフルカラー画像が形成される。そして、中間転写ベルト９０６が図１の時計回り方向に回転して中間転写ベルト９０６の外周面上に形成されたフルカラー画像は、二次転写内ローラ９０７と、二次転写手段となる二次転写外ローラ９０８とにより形成される二次転写ニップ部Ｎに移動する。
【００１７】
一方、給送カセット９１０内に収容された記録材９１３は、給送ローラ４により繰り出され、分離ローラ５により一枚ずつ分離給送される。その後、停止したレジストローラ６のニップ部に記録材９１３の先端部が突き当てられて斜行が補正された後、記録材９１３は、所定のタイミングでレジストローラ６により挟持搬送されて二次転写ニップ部Ｎに搬送される。
【００１８】
二次転写ニップ部Ｎに搬送された記録材９１３は、中間転写ベルト９０６の外周面と、二次転写外ローラ９０８とにより挟持搬送される。そのとき、図示しない二次転写バイアス電源から二次転写外ローラ９０８に二次転写バイアスが印加されることにより中間転写ベルト９０６の外周面上に一次転写されたフルカラー画像が記録材９１３に二次転写される。
【００１９】
二次転写ニップ部Ｎを通過した記録材９１３は、定着手段となる定着装置９１１に搬送される。定着装置９１１に設けられた加熱ローラと加圧ローラとにより挟持搬送される間に記録材９１３上に担持されたトナー像が高温にされ、熱溶融して柔らかくなったところで、圧力を加えられることで、記録材９１３の表面に熱定着される。その後、搬送路７を搬送されて排出ローラ８により排出トレイ９上に排出される。上記の一連の画像形成動作は、画像形成装置９００の上面に設けられた操作部９２０、或いは、ネットワークを経由した各入力信号に従って制御手段となる制御部１１が制御している。
【００２０】
＜ドラムヒータ＞
次に、図２〜図５を用いて、複数の感光ドラム９０１を加熱する加熱手段となるドラムヒータ１０の構成について説明する。
【００２１】
＜本実施形態＞
先ず、図２及び図３を用いて本実施形態の感光ドラム９０１を加熱するドラムヒータ１０の構成について説明する。図２は、本実施形態の感光ドラム９０１とドラムヒータ１０の構成を示す斜視説明図である。図３は、本実施形態のドラムヒータ１０の電気回路図である。
【００２２】
図２に示すように、感光ドラム９０１の結露防止、水分吸着防止のために各色のステーションにドラムヒータ１０を設けている。ドラムヒータ１０は、低コスト化を図るために電気抵抗値が略均一な１本の熱線となる抵抗線で構成されている。ドラムヒータ１０は、複数のステーションに設けられた加熱領域２０を同時に加熱する加熱手段として構成される。
【００２３】
図３に示す本実施形態では、１本の熱線からなるドラムヒータ１０は、複数の感光ドラム９０１ｙ，９０１ｍ，９０１ｃ，９０１ｋをそれぞれ加熱する複数の加熱領域２０ｙ，２０ｍ，２０ｃ，２０ｋに引き回される。本実施形態では、各加熱領域２０ｙ，２０ｍ，２０ｃ，２０ｋは、各感光ドラム９０１ｙ，９０１ｍ，９０１ｃ，９０１ｋの直下で所定距離だけ離れた位置に設定される。
【００２４】
画像形成装置９００の外気に近い端部側のイエローｙ色とブラックｋ色のステーションに設けられた加熱領域２０ｙ，２０ｋではドラムヒータ１０を二回折り返して三本ずつ這い回している。一方、画像形成装置９００の外気から遠い中央側のマゼンタｍ色とシアンｃ色のステーションに設けられた加熱領域２０ｍ，２０ｃでは、ドラムヒータ１０を一本だけ通している。
【００２５】
即ち、並設された各加熱領域２０ｙ，２０ｍ，２０ｃ，２０ｋのうちで、端部に位置する加熱領域２０ｙ，２０ｋに配置されるドラムヒータ１０（熱線）の長さが、他の加熱領域２０ｍ，２０ｃに配置されるドラムヒータ１０の長さよりも長い。また、各加熱領域２０ｙ，２０ｍ，２０ｃ，２０ｋに配置されるドラムヒータ１０（熱線）は、複数の感光ドラム９０１のそれぞれの長手方向に沿った長さが等しく、且つ、折り返し数が異なる。
【００２６】
また、画像形成装置９００の中心部の加熱領域２０ｍ，２０ｃに配置されるドラムヒータ１０の折り返し回数（折り返し無し「０回」）を考慮する。更に、画像形成装置９００の端部のステーションに設けられた加熱領域２０ｙ，２０ｋに配置されるドラムヒータ１０の折り返し回数（２回折り返し）を考慮する。中心部の加熱領域２０ｍ，２０ｃでのドラムヒータ１０の折り返し回数（折り返し無し「０回」）は、端部のステーションに設けられた加熱領域２０ｙ，２０ｋでのドラムヒータ１０の折り返し回数（２回折り返し）よりも少ない。
【００２７】
図３に示すように、ドラムヒータ１０の端部には、交流電源１２が接続されている。交流電源１２は、制御部１１により制御される。本実施形態のドラムヒータ１０に交流電流が流れることによりジュール熱が発生する。その熱量は、図４に示す比較例のドラムヒータ１０に交流電流が流れることによりジュール熱が発生して得られる熱量と同一となるようにドラムヒータ１０の電気抵抗値が設定されている。これにより図３に示す本実施形態のドラムヒータ１０の総電力量Ｗ１ＡＬＬは、図４に示す比較例のドラムヒータ１０の総電力量Ｗ０ＡＬＬと同一になるように構成される。
【００２８】
図３に示す本実施形態の各ステーションに設けられた加熱領域２０に配置されるドラムヒータ１０を８等分した抵抗値をＲ１として考える。また、交流電源１２からドラムヒータ１０の両端部に印加する電圧Ｖｉは、図３に示す本実施形態と図４に示す比較例とで等しいものとする。
【００２９】
＜比較例＞
次に、図４を用いて比較例の感光ドラム９０１を加熱するドラムヒータ１０の構成について説明する。図４は、比較例のドラムヒータ１０の電気回路図である。図５は、図３に示す本実施形態と図４に示す比較例の各ステーションに設けられた加熱領域２０の温度分布を示す図である。
【００３０】
図４で示す比較例では、各ステーションに設けられた加熱領域２０でのドラムヒータ１０の電力Ｗ０を均一にするように各ステーションに設けられた加熱領域２０でドラムヒータ１０を一回折り返して二本ずつ這い回している。図４で示す比較例の場合、画像形成装置９００の端部側のステーションに設けられた加熱領域２０ｙ，２０ｋは、外気に近いため熱が逃げてしまう。一方、画像形成装置９００の中央側のステーションに設けられた加熱領域２０ｍ，２０ｃは、外気から遠く、画像形成装置９００の内部で熱がこもる。
【００３１】
このため図５のグラフａで示すように、各ステーションに設けられた加熱領域２０で温度にムラが生じてしまう。図５のグラフｂは、画像形成装置９００が設置された雰囲気温度を示す。ここで、図４に示す比較例の各ステーションに設けられた加熱領域２０でのドラムヒータ１０の電力Ｗ０を算出する。尚、図４に示す比較例の各ステーションに設けられた加熱領域２０は同じ構成であるためイエローｙ色のステーションに設けられた加熱領域２０ｙでのドラムヒータ１０の電力Ｗ０ｙの算出例を代表して説明する。
【００３２】
＜比較例のイエローｙ色のステーションに設けられた加熱領域２０ｙでのドラムヒータ１０の電力Ｗ０ｙ＞
図４に示す比較例のイエローｙ色のステーションに設けられた加熱領域２０ｙでのドラムヒータ１０の合成抵抗ｒ０ｙは、ドラムヒータ１０を一回折り返して二本ずつ這い回している。このことからドラムヒータ１０を８等分した抵抗値Ｒ０を用いて以下の数１式で表される。
【００３３】
［数１］
ｒ０ｙ＝２Ｒ０
【００３４】
また、ステーションに設けられた加熱領域２０ｙでのドラムヒータ１０の端子１０ｙ１，１０ｙ２の間にかかる電圧Ｖ０ｙを考慮する。この電圧Ｖ０ｙは、ドラムヒータ１０の抵抗値Ｒ０が全体で８本のうちの２本がステーションに設けられた加熱領域２０ｙに配置されたと考えることができる。これにより以下の数２式で表される。
【００３５】
［数２］
Ｖ０ｙ＝Ｖｉ×（２／８）
＝Ｖｉ／４
【００３６】
ここで、電力をＷ、電圧をＶ、電流をＩ、抵抗をｒとすると、以下の数３式で表される。
【００３７】
［数３］
Ｗ＝Ｖ×Ｉ
＝Ｖ×（Ｖ／ｒ）
＝Ｖ２／ｒ
【００３８】
前記数１式〜数３式を用いて、イエローｙ色のステーションに設けられた加熱領域２０ｙでのドラムヒータ１０の電力Ｗ０ｙは、以下の数４式で表される。
【００３９】
［数４］
Ｗ０ｙ＝Ｖ０ｙ２／ｒ０ｙ
＝（Ｖｉ／４）２／（２Ｒ０）
＝Ｖｉ２／３２Ｒ０
【００４０】
図４に示す比較例の各ステーションに設けられた加熱領域２０でのドラムヒータ１０の構成は同一であることから各ステーションでのドラムヒータ１０の電力Ｗ０ｙ，Ｗ０ｍ，Ｗ０ｃ，Ｗ０ｋは、前記数４式を用いて、以下の数５式で表される。
【００４１】
［数５］
Ｗ０ｙ＝Ｗ０ｍ＝Ｗ０ｃ＝Ｗ０ｋ
＝Ｖｉ２／３２Ｒ０
【００４２】
＜本実施形態の各色のステーションに設けられた加熱領域２０でのドラムヒータ１０の電力Ｗ１＞
次に、図３に示す本実施形態の各ステーションに設けられた加熱領域２０でのドラムヒータ１０の電力Ｗ１を算出する。図３に示す本実施形態と、図４に示す比較例とでは、ドラムヒータ１０の全長Ｌ０，Ｌ１は等しい。ここで、図４に示す比較例の複数の各ステーションに設けられた加熱領域２０に配置されるドラムヒータ１０の折り返し回数（１回折り返し）が等しい場合のドラムヒータ１０の全長Ｌ０を考慮する。
【００４３】
図３に示す本実施形態では、ドラムヒータ１０の全長Ｌ１を変えない（Ｌ０＝Ｌ１）。その上で、図３に示すように、画像形成装置９００の中心部の加熱領域２０ｍ，２０ｃに配置されるドラムヒータ１０の折り返し回数を減らす（１回減らして折り返さない）。その減らした分だけ画像形成装置９００の端部のステーションに設けられた加熱領域２０ｙ，２０ｋに配置されるドラムヒータ１０の折り返し回数を増やす（１回増やして２回折り返す）。
【００４４】
＜本実施形態のイエローｙ色のステーションに設けられた加熱領域２０ｙでのドラムヒータ１０の電力Ｗ１ｙ＞
図３に示す本実施形態のイエローｙ色のステーションに設けられた加熱領域２０ｙでのドラムヒータ１０の合成抵抗ｒ１ｙは、ドラムヒータ１０を二回折り返して合計で三本を這い回している。このことからドラムヒータ１０を８等分した抵抗値Ｒ１を用いて以下の数６式で表される。
【００４５】
［数６］
ｒ１ｙ＝３Ｒ１
【００４６】
また、イエローｙ色のステーションに設けられた加熱領域２０ｙでのドラムヒータ１０の端子１０ｙ３，１０ｙ４の間にかかる電圧Ｖ１ｙを考慮する。この電圧Ｖ１ｙは、ドラムヒータ１０を８等分した抵抗値Ｒ１が全体で８本のうちの３本がステーションに設けられた加熱領域２０ｙに配置されたと考えることができる。これにより以下の数７式で表される。
【００４７】
［数７］
Ｖ１ｙ＝Ｖｉ×（３／８）
＝３Ｖｉ／８
【００４８】
前記数３式、数６式、数７式を用いて、イエローｙ色のステーションに設けられた加熱領域２０ｙでのドラムヒータ１０の電力Ｗ１ｙは、以下の数８式で表される。
【００４９】
［数８］
Ｗ１ｙ＝Ｖ１ｙ２／ｒ１ｙ
＝（３Ｖｉ／８）２／３Ｒ１
＝３Ｖｉ２／６４Ｒ１
【００５０】
＜本実施形態のマゼンタｍ色のステーションに設けられた加熱領域２０ｍでのドラムヒータ１０の電力Ｗ１ｍ＞
図３に示す本実施形態のマゼンタｍ色のステーションに設けられた加熱領域２０ｍでのドラムヒータ１０の合成抵抗ｒ１ｍは、ドラムヒータ１０を一本だけ通していることからドラムヒータ１０を８等分した抵抗値Ｒ１を用いて以下の数９式で表される。
【００５１】
［数９］
ｒ１ｍ＝Ｒ１
【００５２】
また、マゼンタｍ色のステーションに設けられた加熱領域２０ｍでのドラムヒータ１０の端子１０ｍ１，１０ｍ２の間にかかる電圧Ｖ１ｍを考慮する。この電圧Ｖ１ｍは、ドラムヒータ１０を８等分した抵抗値Ｒ１が全体で８本のうちの１本がステーションに設けられた加熱領域２０ｍに配置されたと考えることができる。これにより以下の数１０式で表される。
【００５３】
［数１０］
Ｖ１ｍ＝Ｖｉ／８
【００５４】
前記数３式、数９式、数１０式を用いて、マゼンタｍ色のステーションに設けられた加熱領域２０ｍでのドラムヒータ１０の電力Ｗ１ｍは、以下の数１１式で表される。
【００５５】
［数１１］
Ｗ１ｍ＝Ｖ１ｍ２／ｒ１ｍ
＝（Ｖｉ／８）２／Ｒ１
＝Ｖｉ２／６４Ｒ１
【００５６】
＜本実施形態のシアンｃ色のステーションに設けられた加熱領域２０ｃでのドラムヒータ１０の電力Ｗ１ｃ＞
図３に示す本実施形態のシアンｃ色のステーションに設けられた加熱領域２０ｃでのドラムヒータ１０の合成抵抗ｒ１ｃは、前述したマゼンタｍ色のステーションに設けられた加熱領域２０ｍでのドラムヒータ１０と同様である。即ち、ドラムヒータ１０を一本だけ通していることからドラムヒータ１０を８等分した抵抗値Ｒ１を用いて以下の数１２式で表される。
【００５７】
［数１２］
ｒ１ｃ＝Ｒ１
【００５８】
また、シアンｃ色のステーションに設けられた加熱領域２０ｃでのドラムヒータ１０の端子１０ｃ１，１０ｃ２の間にかかる電圧Ｖ１ｃを考慮する。この電圧Ｖ１ｃは、ドラムヒータ１０を８等分した抵抗値Ｒ１が全体で８本のうちの１本がステーションに設けられた加熱領域２０ｃに配置されたと考えることができる。これにより以下の数１３式で表される。
【００５９】
［数１３］
Ｖ１ｃ＝Ｖｉ／８
【００６０】
前記数３式、数１２式、数１３式を用いて、シアンｃ色のステーションに設けられた加熱領域２０ｃでのドラムヒータ１０の電力Ｗ１ｃは、以下の数１４式で表される。
【００６１】
［数１４］
Ｗ１ｃ＝Ｖ１ｃ２／ｒ１ｃ
＝（Ｖｉ／８）２／Ｒ１
＝Ｖｉ２／６４Ｒ１
【００６２】
＜本実施形態のブラックｋ色のステーションに設けられた加熱領域２０ｋでのドラムヒータ１０の電力Ｗ１ｋ＞
図３に示す本実施形態のブラックｋ色のステーションに設けられた加熱領域２０ｋでのドラムヒータ１０の合成抵抗ｒ１ｋは、前述したイエローｙ色のステーションに設けられた加熱領域２０ｙでのドラムヒータ１０と同様である。即ち、ドラムヒータ１０を二回折り返して合計で三本を這い回していることからドラムヒータ１０を８等分した抵抗値Ｒ１を用いて以下の数１５式で表される。
【００６３】
［数１５］
ｒ１ｋ＝３Ｒ１
【００６４】
また、ブラックｋ色のステーションに設けられた加熱領域２０ｋでのドラムヒータ１０の端子１０ｋ１，１０ｋ２の間にかかる電圧Ｖ１ｋを考慮する。この電圧Ｖ１ｋは、ドラムヒータ１０を８等分した抵抗値Ｒ１が全体で８本のうちの３本がステーションに設けられた加熱領域２０ｋに配置されたと考えることができる。これにより以下の数１６式で表される。
【００６５】
［数１６］
Ｖ１ｋ＝Ｖｉ×（３／８）
＝３Ｖｉ／８
【００６６】
前記数３式、数１５式、数１６式を用いて、ブラックｋ色のステーションに設けられた加熱領域２０ｋでのドラムヒータ１０の電力Ｗ１ｋは、以下の数１７式で表される。
【００６７】
［数１７］
Ｗ１ｋ＝Ｖ１ｋ２／ｒ１ｋ
＝（３Ｖｉ／８）２／３Ｒ１
＝３Ｖｉ２／６４Ｒ１
【００６８】
図３において、ドラムヒータ１０を８等分した抵抗値Ｒ１と、図４において、ドラムヒータ１０を８等分した抵抗値Ｒ０とは等しいと考える。そして、図３に示す本実施形態のイエローｙ色のステーションに設けられた加熱領域２０ｙでのドラムヒータ１０の電力Ｗ１ｙを考慮する。更に、図４に示す比較例のイエローｙ色のステーションに設けられた加熱領域２０ｙでのドラムヒータ１０の電力Ｗ０ｙを考慮する。これらの電力比を｛Ｗ１ｙ／Ｗ０ｙ｝とすれば、前記数５式と数８式とを用いて、以下の数１８式で表される。
【００６９】
［数１８］
Ｗ１ｙ／Ｗ０ｙ＝（３Ｖｉ２／６４Ｒ１）／（Ｖｉ２／３２Ｒ０）
＝３／２
【００７０】
同様に、図３に示す本実施形態のマゼンタｍ色のステーションに設けられた加熱領域２０ｍでのドラムヒータ１０の電力Ｗ１ｍを考慮する。更に、図４に示す比較例のマゼンタｍ色のステーションに設けられた加熱領域２０ｍでのドラムヒータ１０の電力Ｗ０ｍを考慮する。これらの電力比を｛Ｗ１ｍ／Ｗ０ｍ｝とすれば、前記数５式と数１１式とを用いて、以下の数１９式で表される。
【００７１】
［数１９］
Ｗ１ｍ／Ｗ０ｍ＝（Ｖｉ２／６４Ｒ１）／（Ｖｉ２／３２Ｒ０）
＝１／２
【００７２】
同様に、図３に示す本実施形態のシアンｃ色のステーションに設けられた加熱領域２０ｃでのドラムヒータ１０の電力Ｗ１ｃを考慮する。更に、図４に示す比較例のシアンｃ色のステーションに設けられた加熱領域２０ｃでのドラムヒータ１０の電力Ｗ０ｃを考慮する。これらの電力比を｛Ｗ１ｃ／Ｗ０ｃ｝とすれば、前記数５式と数１４式とを用いて、以下の数２０式で表される。
【００７３】
［数２０］
Ｗ１ｃ／Ｗ０ｃ＝（Ｖｉ２／６４Ｒ１）／（Ｖｉ２／３２Ｒ０）
＝１／２
【００７４】
同様に、図３に示す本実施形態のブラックｋ色のステーションに設けられた加熱領域２０ｋでのドラムヒータ１０の電力Ｗ１ｋを考慮する。更に、図４に示す比較例のブラックｋ色のステーションに設けられた加熱領域２０ｋでのドラムヒータ１０の電力Ｗ０ｋを考慮する。これらの電力比を｛Ｗ１ｋ／Ｗ０ｋ｝とすれば、前記数５式と数１７式とを用いて、以下の数２１式で表される。
【００７５】
［数２１］
Ｗ１ｋ／Ｗ０ｋ＝（３Ｖｉ２／６４Ｒ１）／（Ｖｉ２／３２Ｒ０）
＝３／２
【００７６】
これにより画像形成装置９００の外気に近い端部に設けられるイエローｙ色とブラックｋ色のステーションに設けられた加熱領域２０ｙ，２０ｋでのドラムヒータ１０の電力Ｗ１ｙ，Ｗ１ｋは、比較例の３／２倍となる。また、画像形成装置９００の外気から遠い中央部に設けられるマゼンタｍ色とシアンｃ色のステーションに設けられた加熱領域２０ｍ，２０ｃでのドラムヒータ１０の電力Ｗ１ｍ，Ｗ１ｃは、比較例の１／２倍となっている。
【００７７】
ここで画像形成装置９００の外気に近い端部に設けられるイエローｙ色とブラックｋ色のステーションに設けられた加熱領域２０ｙ，２０ｋでのドラムヒータ１０の電力Ｗ１ｙ，Ｗ１ｋを考慮する。更に、画像形成装置９００の外気から遠い中央部に設けられるマゼンタｍ色とシアンｃ色のステーションに設けられた加熱領域２０ｍ，２０ｃでのドラムヒータ１０の電力Ｗ１ｍ，Ｗ１ｃを考慮する。これらの電力比は、３倍｛＝（３／２）×２｝となっている。
【００７８】
次に、図５を用いて、図３に示す本実施形態と、図４に示す比較例との各ステーションに設けられた加熱領域２０の温度分布について説明する。図５は、本実施形態と比較例での各ステーションに設けられた加熱領域２０の温度分布を示す図である。図５のグラフａで示す比較例の各ステーションに設けられた加熱領域２０の温度分布は、画像形成装置９００の外気に近い端部に設けられるイエローｙ色とブラックｋ色のステーションに設けられた加熱領域２０ｙ，２０ｋの温度が３２℃付近である。また、画像形成装置９００の外気から遠い中央部に設けられるマゼンタｍ色とシアンｃ色のステーションに設けられた加熱領域２０ｍ，２０ｃの温度は３４℃を超えていた。
【００７９】
一方、グラフｄで示す本実施形態の各ステーションに設けられた加熱領域２０の温度分布は、画像形成装置９００の外気に近い端部に設けられるイエローｙ色とブラックｋ色のステーションに設けられた加熱領域２０ｙ，２０ｋの温度が３３℃付近である。また、画像形成装置９００の外気から遠い中央部に設けられるマゼンタｍ色とシアンｃ色のステーションに設けられた加熱領域２０ｍ，２０ｃの温度は３２．５℃付近であった。
【００８０】
このように本実施形態では、図５のグラフｄで示すように、ドラムヒータ１０の総電力量Ｗ１ＡＬＬを変えずに各ステーションに設けられた加熱領域２０の温度ムラを低減することができる。グラフｂは、画像形成装置９００が設置される雰囲気温度である。
【００８１】
〔第２実施形態〕
次に、図６及び図７を用いて本発明に係る画像形成装置の第２実施形態の構成について説明する。尚、前記第１実施形態と同様に構成したものは同一の符号、或いは符号が異なっても同一の部材名を付して説明を省略する。図６は、本実施形態のドラムヒータ１０の電気回路図である。
【００８２】
前記第１実施形態では、図３に示すように、画像形成装置９００の外気に近い端部側のイエローｙ色とブラックｋ色のステーションに設けられた加熱領域２０ｙ，２０ｋではドラムヒータ１０を二回折り返して三本ずつ這い回している。本実施形態では、図６に示すように、画像形成装置９００の外気に近い端部側のイエローｙ色とブラックｋ色のステーションに設けられた加熱領域２０ｙ，２０ｋではドラムヒータ１０を一回折り返して二本ずつ這い回した一例である。
【００８３】
本実施形態では、ドラムヒータ１０の折り返し回数が少ないため図４に示す比較例及び図３に示す第１実施形態のドラムヒータ１０の全長Ｌ０，Ｌ１に比べて、図６に示す本実施形態のドラムヒータ１０の全長Ｌ２は短い。このためドラムヒータ１０を６等分した抵抗値Ｒ２は、図４に示す比較例及び図３に示す第１実施形態のドラムヒータ１０を８等分した抵抗値Ｒ０，Ｒ１よりも高くなるように設定される。
【００８４】
図４に示す比較例のように、複数のステーションに設けられた加熱領域２０に配置されるドラムヒータ１０のそれぞれの折り返し回数（１回折り返し）が等しい場合を考慮する。その場合の該ドラムヒータ１０の全長Ｌ０よりも図６に示す本実施形態のドラムヒータ１０の全長Ｌ２を短く設定した。
【００８５】
更に、図４に示す比較例の複数のステーションに設けられた加熱領域２０に配置されるドラムヒータ１０のそれぞれの折り返し回数（１回折り返し）が等しい場合を考慮する。その場合の画像形成装置９００の端部のステーションに設けられた加熱領域２０ｙ，２０ｋに配置されるドラムヒータ１０の折り返し回数（１回折り返し）を考慮する。
【００８６】
そして、図６に示す本実施形態では、図４に示す比較例の画像形成装置９００の端部のステーションに設けられた加熱領域２０ｙ，２０ｋに配置されるドラムヒータ１０の折り返し回数（１回折り返し）を変えない。その上で、画像形成装置９００の中心部の加熱領域２０ｍ，２０ｃに配置されるドラムヒータ１０の折り返し回数を減らした（折り返し無し「０回」）。他の構成は、前記第１実施形態と略同様に構成した。
【００８７】
図６に示す本実施形態で画像形成装置９００の外気から遠い中央部に設けられるマゼンタｍ色とシアンｃ色のステーションに設けられた加熱領域２０ｍ，２０ｃでのドラムヒータ１０のヒータ長Ｌ２ｍ，Ｌ２ｃを考慮する。更に、画像形成装置９００の外気に近い端部側のイエローｙ色とブラックｋ色のステーションに設けられた加熱領域２０ｙ，２０ｋに設けられるドラムヒータ１０のヒータ長Ｌ２ｙ，Ｌ２ｋを考慮する。
【００８８】
そして、これらのヒータ長Ｌ２ｍ，Ｌ２ｃ，Ｌ２ｙ，Ｌ２ｋを比較する。すると、加熱領域２０ｍ，２０ｃでのドラムヒータ１０のヒータ長Ｌ２ｍ，Ｌ２ｃは、加熱領域２０ｙ，２０ｋでのドラムヒータ１０のヒータ長Ｌ２ｙ，Ｌ２ｋの略半分になる。このため図６に示す本実施形態ドラムヒータ１０の全長Ｌ２は、図４に示す比較例及び図３に示す第１実施形態のドラムヒータ１０の全長Ｌ０，Ｌ１の３／４（＝６／８）倍となる。
【００８９】
ここで、図４に示す比較例のドラムヒータ１０の全長をＬ０とする。図６に示す本実施形態のドラムヒータ１０の全長をＬ２とすると、以下の数２２式で表される。
【００９０】
［数２２式］
Ｌ２＝（３／４）×Ｌ０
【００９１】
更に、図６に示す本実施形態では、ドラムヒータ１０の全長Ｌ２が比較例のドラムヒータ１０の全長Ｌ０よりも短くなった分を考慮する。その短くなった分に対応してドラムヒータ１０を６等分した抵抗値Ｒ２を、図４に示す比較例や図３に示す第１実施形態のドラムヒータ１０を８等分した抵抗値Ｒ０，Ｒ１よりも高く設定する。ここで、図４に示す比較例のドラムヒータ１０の全長をＬ０、ドラムヒータ１０の抵抗率をρ、ドラムヒータ１０の断面積をＳとすると、図４に示す比較例のドラムヒータ１０の全抵抗値Ｒ０ＡＬＬは、以下の数２３式で表される。
【００９２】
［数２３式］
Ｒ０ＡＬＬ＝ρ×Ｌ０／Ｓ
【００９３】
同様に、図６に示す本実施形態のドラムヒータ１０の全長をＬ２、ドラムヒータ１０の抵抗率をρ、ドラムヒータ１０の断面積をＳとすると、図６に示す本実施形態のドラムヒータ１０の全抵抗値Ｒ２ＡＬＬは、以下の数２４式で表される。
【００９４】
［数２４式］
Ｒ２ＡＬＬ＝ρ×Ｌ２／Ｓ
【００９５】
前記数２２式、数２３式及び数２４式を用いて、図６に示す本実施形態のドラムヒータ１０の全抵抗値Ｒ２ＡＬＬと、図４に示す比較例のドラムヒータ１０の全抵抗値Ｒ０ＡＬＬとは、以下の数２５式で表される。
【００９６】
［数２５式］
Ｒ２ＡＬＬ＝（３／４）×Ｒ０ＡＬＬ
【００９７】
前記数２５式から図６に示す本実施形態のドラムヒータ１０の全抵抗値Ｒ２ＡＬＬは、図４に示す比較例のドラムヒータ１０の全抵抗値Ｒ０ＡＬＬの３／４倍である。
【００９８】
ここで、図４に示す比較例のドラムヒータ１０の全抵抗値をＲ０ＡＬＬとする。また、図４に示す比較例のドラムヒータ１０の総電力量をＷ０ＡＬＬとする。更に、交流電源１２によりドラムヒータ１０に印加する電圧をＶｉとすると、前記数３式を用いて、以下の数２６式で表される。
【００９９】
［数２６式］
Ｗ０ＡＬＬ＝Ｖｉ２／Ｒ０ＡＬＬ
【０１００】
同様に、図６に示す本実施形態のドラムヒータ１０の全抵抗値をＲ２ＡＬＬとする。また、図６に示す本実施形態のドラムヒータ１０の総電力量をＷ２ＡＬＬとする。更に、交流電源１２によりドラムヒータ１０に印加する電圧をＶｉとすると、前記数３式を用いて、以下の数２７式で表される。
【０１０１】
［数２７式］
Ｗ２ＡＬＬ＝Ｖｉ２／Ｒ２ＡＬＬ
【０１０２】
前記数２５式、数２６式及び数２７式を用いて、図６に示す本実施形態のドラムヒータ１０の総電力量Ｗ２ＡＬＬと、図４に示す比較例のドラムヒータ１０の総電力量Ｗ０ＡＬＬとは、以下の数２８式で表される。
【０１０３】
［数２８式］
Ｗ２ＡＬＬ＝（４／３）×Ｗ０ＡＬＬ
【０１０４】
前記数２８式から図６に示す本実施形態のドラムヒータ１０の総電力量Ｗ２ＡＬＬは、図４に示す比較例のドラムヒータ１０の総電力量Ｗ０ＡＬＬの４／３倍である。
【０１０５】
即ち、数２５式、数２８式を参照して、ドラムヒータ１０の全抵抗値ＲＡＬＬが３／４倍となるのとき、ドラムヒータ１０の総電力量ＷＡＬＬは、４／３倍になる。前記数３式に示されるように、交流電源１２によりドラムヒータ１０に印加する電圧Ｖｉが一定であるとする。すると、ドラムヒータ１０の総電力量ＷＡＬＬと、ドラムヒータ１０の全抵抗値ＲＡＬＬとは、反比例の関係にある。
【０１０６】
このことから数２２式に示されるように、図６に示す本実施形態のドラムヒータ１０の全長Ｌ２が、図４に示す比較例のドラムヒータ１０の全長Ｌ０の３／４倍に短くなる。その上で両者のドラムヒータ１０の総電力量Ｗ２ＡＬＬとＷ０ＡＬＬとを等しくする（変化させない）。そのためには、図６に示す本実施形態のドラムヒータ１０の全抵抗値Ｒ２ＡＬＬを、図４に示す比較例のドラムヒータ１０の全抵抗値Ｒ０ＡＬＬの４／３倍に設定すれば良い。
【０１０７】
図４に示す比較例の複数の各ステーションに設けられた加熱領域２０に配置されるドラムヒータ１０のそれぞれの折り返し回数（１回折り返し）が等しい場合を考慮する。その場合のドラムヒータ１０に供給する総電力量Ｗ０ＡＬＬを考慮する。一方、図６に示す本実施形態でドラムヒータ１０の全長Ｌ２を短くした場合の該ドラムヒータ１０に供給する総電力量Ｗ２ＡＬＬを考慮する。
【０１０８】
また、図６に示す本実施形態でドラムヒータ１０の全長Ｌ２を短くした場合の該ドラムヒータ１０の全抵抗値Ｒ２ＡＬＬを考慮する。更に、図４に示す比較例の複数の各ステーションに設けられた加熱領域２０に配置されるドラムヒータ１０のそれぞれの折り返し回数（１回折り返し）が等しい場合のドラムヒータ１０の全抵抗値Ｒ０ＡＬＬを考慮する。
【０１０９】
そして、前記総電力量Ｗ０ＡＬＬと、前記総電力量Ｗ２ＡＬＬとが等しくなるように設定する。そのために、前記全抵抗値Ｒ２ＡＬＬを前記全抵抗値Ｒ０ＡＬＬよりも４／３倍高く設定した。
【０１１０】
図６に示す本実施形態の各ステーションに設けられた加熱領域２０でのドラムヒータ１０を６等分した抵抗値をＲ２とする。図４に示す比較例のドラムヒータ１０に交流電源１２から印加する電圧Ｖｉと、図６に示す本実施形態の各ステーションに設けられた加熱領域２０でのドラムヒータ１０に交流電源１２から印加する電圧Ｖｉとは等しいものとする。
【０１１１】
前述したように、図４に示す比較例のドラムヒータ１０の全長Ｌ０と、図６に示す本実施形態のドラムヒータ１０の全長Ｌ２とが前記数２２式で示されるように異なる場合を考慮する。その場合でも各ドラムヒータ１０の総電力量Ｗ０ＡＬＬ，Ｗ２ＡＬＬを変化させない。そのためには以下の数２９式で示すように、図６に示す本実施形態のドラムヒータ１０の抵抗値Ｒ２を図４に示す比較例のドラムヒータ１０の抵抗値Ｒ０の４／３倍にすれば良い。
【０１１２】
［数２９式］
Ｒ２＝（４／３）×Ｒ０
【０１１３】
次に、図６に示す本実施形態の各ステーションに設けられた加熱領域２０でのドラムヒータ１０の電力Ｗ２を算出する。
【０１１４】
＜イエローｙ色のステーションに設けられた加熱領域２０ｙでのドラムヒータ１０の電力Ｗ２ｙ＞
図６に示す本実施形態におけるイエローｙ色のステーションに設けられた加熱領域２０ｙでのドラムヒータ１０の合成抵抗ｒ２ｙは、ドラムヒータ１０を６等分した抵抗値Ｒ２が２つ直列に接続されていると考えて、以下の数３０式で表される。
【０１１５】
［数３０式］
ｒ２ｙ＝２×Ｒ２
【０１１６】
数３０式に数２９式を代入すると、以下の数３１式で表される。
【０１１７】
［数３１式］
ｒ２ｙ＝２×｛（４／３）×Ｒ０｝
＝（８／３）×Ｒ０
【０１１８】
また、本実施形態のステーションに設けられた加熱領域２０ｙでのドラムヒータ１０の端子１０ｙ１，１０ｙ２の間にかかる電圧Ｖ２ｙを考慮する。この電圧Ｖ２ｙは、交流電源１２からドラムヒータ１０に印加される電圧Ｖｉのうちで、ドラムヒータ１０を６等分した抵抗値Ｒ２にそれぞれかかる電圧（Ｖｉ／６）の２つ分の電圧｛（２／６）×Ｖｉ｝がかかると考えて、以下の数３２式で表される。
【０１１９】
［数３２式］
Ｖ２ｙ＝｛（２／６）×Ｖｉ｝
＝Ｖｉ／３
【０１２０】
これによりステーションに設けられた加熱領域２０ｙでのドラムヒータ１０の電力Ｗ２ｙは、前記数３式、数３１式及び数３２式を用いて、以下の数３３式で表される。
【０１２１】
［数３３式］
Ｗ２ｙ＝（Ｖ２ｙ）２／ｒ２ｙ
＝（Ｖｉ／３）２／｛（８／３）×Ｒ０｝
＝（１／２４）×（Ｖｉ２／Ｒ０）
【０１２２】
＜マゼンタｍ色のステーションに設けられた加熱領域２０ｍでのドラムヒータ１０の電力Ｗ２ｍ＞
図６に示す本実施形態におけるマゼンタｍ色のステーションに設けられた加熱領域２０ｍでのドラムヒータ１０の合成抵抗ｒ２ｍは、ドラムヒータ１０を６等分した抵抗値Ｒ２が１つであると考えて、以下の数３４式で表される。
【０１２３】
［数３４式］
ｒ２ｍ＝Ｒ２
【０１２４】
数３４式に数２９式を代入すると、以下の数３５式で表される。
【０１２５】
［数３５式］
ｒ２ｍ＝（４／３）×Ｒ０
【０１２６】
また、本実施形態のステーションに設けられた加熱領域２０ｍでのドラムヒータ１０の端子１０ｍ１，１０ｍ２の間にかかる電圧Ｖ２ｍを考慮する。この電圧Ｖ２ｍは、交流電源１２からドラムヒータ１０に印加される電圧Ｖｉのうちで、ドラムヒータ１０を６等分した抵抗値Ｒ２にそれぞれかかる電圧（Ｖｉ／６）の１つ分の電圧（Ｖｉ／６）がかかると考えて、以下の数３６式で表される。
【０１２７】
［数３６式］
Ｖ２ｍ＝Ｖｉ／６
【０１２８】
これによりステーションに設けられた加熱領域２０ｍでのドラムヒータ１０の電力Ｗ２ｍは、前記数３式、数３５式及び数３６式を用いて、以下の数３７式で表される。
【０１２９】
［数３７式］
Ｗ２ｍ＝Ｖ２ｍ２／ｒ２ｍ
＝（Ｖｉ／６）２／｛（４／３）×Ｒ０｝
＝（１／４８）×（Ｖｉ２／Ｒ０）
【０１３０】
＜シアンｃ色のステーションに設けられた加熱領域２０ｃでのドラムヒータ１０の電力Ｗ２ｃ＞
図６に示す本実施形態におけるシアンｃ色のステーションに設けられた加熱領域２０ｃでのドラムヒータ１０の合成抵抗ｒ２ｃも前述したマゼンタｍ色と同様に、ドラムヒータ１０を６等分した抵抗値Ｒ２が１つであると考えて、以下の数３８式で表される。
【０１３１】
［数３８式］
ｒ２ｃ＝Ｒ２
【０１３２】
数３８式に数２９式を代入すると、以下の数３９式で表される。
【０１３３】
［数３９式］
ｒ２ｃ＝（４／３）×Ｒ０
【０１３４】
また、本実施形態のステーションに設けられた加熱領域２０ｃでのドラムヒータ１０の端子１０ｃ１，１０ｃ２の間にかかる電圧Ｖ２ｃを考慮する。この電圧Ｖ２ｃは、交流電源１２からドラムヒータ１０に印加される電圧Ｖｉのうちで、ドラムヒータ１０を６等分した抵抗値Ｒ２にそれぞれかかる電圧（Ｖｉ／６）の１つ分の電圧（Ｖｉ／６）がかかると考えて、以下の数４０式で表される。
【０１３５】
［数４０式］
Ｖ２ｃ＝Ｖｉ／６
【０１３６】
これによりステーションに設けられた加熱領域２０ｃでのドラムヒータ１０の電力Ｗ２ｃは、前記数３式、数３９式及び数４０式を用いて、以下の数４１式で表される。
【０１３７】
［数４１式］
Ｗ２ｃ＝Ｖ２ｃ２／ｒ２ｃ
＝（Ｖｉ／６）２／｛（４／３）×Ｒ０｝
＝（１／４８）×（Ｖｉ２／Ｒ０）
【０１３８】
＜ブラックｋ色のステーションに設けられた加熱領域２０ｋでのドラムヒータ１０の電力Ｗ２ｋ＞
図６に示す本実施形態におけるブラックｋ色のステーションに設けられた加熱領域２０ｋでのドラムヒータ１０の合成抵抗ｒ２ｋは、前述したイエローｙ色のステーションに設けられた加熱領域２０ｙと同様である。即ち、ドラムヒータ１０を６等分した抵抗値Ｒ２が２つ直列に接続されていると考えて、以下の数４２式で表される。
【０１３９】
［数４２式］
ｒ２ｋ＝２×Ｒ２
【０１４０】
数４２式に数２９式を代入すると、以下の数４３式で表される。
【０１４１】
［数４３式］
ｒ２ｋ＝２×｛（４／３）×Ｒ０｝
＝（８／３）×Ｒ０
【０１４２】
また、本実施形態のステーションに設けられた加熱領域２０ｋでのドラムヒータ１０の端子１０ｋ３，１０ｋ４の間にかかる電圧Ｖ２ｋを考慮する。この電圧Ｖ２ｋは、交流電源１２からドラムヒータ１０に印加される電圧Ｖｉのうちで、ドラムヒータ１０を６等分した抵抗値Ｒ２にそれぞれかかる電圧（Ｖｉ／６）の２つ分の電圧｛（２／６）×Ｖｉ｝がかかると考えて、以下の数４４式で表される。
【０１４３】
［数４４式］
Ｖ２ｋ＝｛（２／６）×Ｖｉ｝
＝Ｖｉ／３
【０１４４】
これによりステーションに設けられた加熱領域２０ｋでのドラムヒータ１０の電力Ｗ２ｋは、前記数３式、数４３式及び数４４式を用いて、以下の数４５式で表される。
【０１４５】
［数４５式］
Ｗ２ｋ＝（Ｖ２ｋ）２／ｒ２ｋ
＝（Ｖｉ／３）２／｛（８／３）×Ｒ０｝
＝（１／２４）×（Ｖｉ２／Ｒ０）
【０１４６】
図６に示す本実施形態の各ステーションに設けられた加熱領域２０でのドラムヒータ１０の電力Ｗ２と、図４に示す比較例の各ステーションに設けられた加熱領域２０でのドラムヒータ１０の電力Ｗ０とを比較する。すると、それぞれ以下の数４６式〜数４９式に示す倍数で表される。
【０１４７】
図６に示す本実施形態のイエローｙ色のステーションに設けられた加熱領域２０ｙでのドラムヒータ１０の電力Ｗ２ｙと、図４に示す比較例のイエローｙ色のステーションに設けられた加熱領域２０ｙでのドラムヒータ１０の電力Ｗ０ｙとを考慮する。これらは、数５式及び数３３式を用いて、以下の数４６式で表される。
【０１４８】
［数４６式］
Ｗ２ｙ／Ｗ０ｙ＝｛（１／２４）×（Ｖｉ２／Ｒ０）｝／（Ｖｉ２／３２Ｒ０）
＝３２／２４
＝４／３（倍）
【０１４９】
図６に示す本実施形態のマゼンタｍ色のステーションに設けられた加熱領域２０ｍでのドラムヒータ１０の電力Ｗ２ｍと、図４に示す比較例のマゼンタｍ色のステーションに設けられた加熱領域２０ｍでのドラムヒータ１０の電力Ｗ０ｍとを考慮する。これらは、数５式及び数３７式を用いて、以下の数４７式で表される。
【０１５０】
［数４７式］
Ｗ２ｍ／Ｗ０ｍ＝｛（１／４８）×（Ｖｉ２／Ｒ０）｝／（Ｖｉ２／３２Ｒ０）
＝３２／４８
＝２／３（倍）
【０１５１】
図６に示す本実施形態のシアンｃ色のステーションに設けられた加熱領域２０ｃでのドラムヒータ１０の電力Ｗ２ｃと、図４に示す比較例のシアンｃ色のステーションに設けられた加熱領域２０ｃでのドラムヒータ１０の電力Ｗ０ｃとを考慮する。これらは、数５式及び数４１式を用いて、以下の数４８式で表される。
【０１５２】
［数４８式］
Ｗ２ｃ／Ｗ０ｃ＝｛（１／４８）×（Ｖｉ２／Ｒ０）｝／（Ｖｉ２／３２Ｒ０）
＝３２／４８
＝２／３（倍）
【０１５３】
図６に示す本実施形態のブラックｋ色のステーションに設けられた加熱領域２０ｋでのドラムヒータ１０の電力Ｗ２ｋと、図４に示す比較例のブラックｋ色のステーションに設けられた加熱領域２０ｋでのドラムヒータ１０の電力Ｗ０ｋとを考慮する。これらは、数５式及び数４５式を用いて、以下の数４９式で表される。
【０１５４】
［数４９式］
Ｗ２ｋ／Ｗ０ｋ＝｛（１／２４）×（Ｖｉ２／Ｒ０）｝／（Ｖｉ２／３２Ｒ０）
＝３２／２４
＝４／３（倍）
【０１５５】
図７は、本実施形態と比較例での各ステーションに設けられた加熱領域２０の温度分布を示す図である。図７のグラフａで示す比較例の各ステーションに設けられた加熱領域２０の温度分布を考慮する。その温度分布は、図５に示して前述したように、画像形成装置９００の外気に近い端部に設けられるイエローｙ色とブラックｋ色のステーションに設けられた加熱領域２０ｙ，２０ｋの温度が３２℃付近である。また、画像形成装置９００の外気から遠い中央部に設けられるマゼンタｍ色とシアンｃ色のステーションに設けられた加熱領域２０ｍ，２０ｃの温度は３４℃を超えていた。
【０１５６】
一方、グラフｅで示す本実施形態の各ステーションに設けられた加熱領域２０の温度分布は、画像形成装置９００の外気に近い端部に設けられるイエローｙ色とブラックｋ色のステーションに設けられた加熱領域２０ｙ，２０ｋの温度が３３℃を下回る。また、画像形成装置９００の外気から遠い中央部に設けられるマゼンタｍ色とシアンｃ色のステーションに設けられた加熱領域２０ｍ，２０ｃの温度は３３℃付近であった。
【０１５７】
このように本実施形態でも図７のグラフｅで示すように、ドラムヒータ１０の総電力量Ｗ２ＡＬＬ（＝Ｗ０ＡＬＬ）を変えずに各ステーションに設けられた加熱領域２０の温度ムラを低減することができる。グラフｂは、画像形成装置９００が設置される雰囲気温度である。他の構成は前記第１実施形態と同様に構成され、同様の効果を得ることが出来る。
【符号の説明】
【０１５８】
１０…ドラムヒータ（加熱手段；熱線）
２０，２０ｙ，２０ｍ，２０ｃ，２０ｋ…加熱領域
９００…画像形成装置
９０１，９０１ｙ，９０１ｍ，９０１ｃ，９０１ｋ…感光ドラム
【図１】
2019086606.tif 000003
【図２】
2019086606.tif 000004
【図３】
2019086606.tif 000005
【図４】
2019086606.tif 000006
【図５】
2019086606.tif 000007
【図６】
2019086606.tif 000008
【図７】
2019086606.tif 000009